(57)【要約】上面又は下面の一側に結合溝が陥没形成された靴底と、結合溝に形状結合され、靴底よりも相対的に高密度材質からなる結合部材とを含むことを特徴とするダイエット用靴底及びこれを備えた履物に関する。  特に、本発明は、結合溝は、靴底の長手方向に沿って足指領域と中心領域にそれぞれ形成され、足指領域の結合溝と中心領域の結合溝の少なくとも一つの底面が傾斜面を形成することを特徴とするダイエット用靴底及びこれを備えた履物を具現した。【選択図】  図１
2011524234.tif 000002
【特許請求の範囲】
【請求項１】
上面又は下面の一側に結合溝（１１０）が陥没形成された靴底（１００）と、
前記結合溝（１１０）に形状結合され、前記靴底（１００）よりも相対的に高密度材質からなる結合部材（２００）とを含むこと
を特徴とするダイエット用靴底。
【請求項２】
前記結合部材（２００）は、前方が後方よりも重く形成されることを特徴とする請求項１に記載のダイエット用靴底。
【請求項３】
前記結合溝（１１０）は、前記靴底（１００）の足指領域に形成されたことを特徴とする請求項１に記載のダイエット用靴底。
【請求項４】
前記結合溝（１１０）は、Ｏ脚の着用者のため、前記靴底（１００）の内側に形成されたことを特徴とする請求項１に記載のダイエット用靴底。
【請求項５】
前記結合溝（１１０）は、Ｘ脚の着用者のため、前記靴底（１００）の外側に形成されたことを特徴とする請求項１に記載のダイエット用靴底。
【請求項６】
前記結合溝（１１０）は、複数個が陥没形成されたことを特徴とする請求項１に記載のダイエット用靴底。
【請求項７】
前記結合溝（１１０）は、前記靴底（１００）の長手方向に沿って足指領域と中心領域にそれぞれ形成され、前記足指領域の結合溝（１１１）と前記中心領域の結合溝１１２の少なくとも一つの底面が傾斜面を形成することを特徴とする請求項１に記載のダイエット用靴底。
【請求項８】
前記靴底（１００）の足指領域の一側に形成された前記結合溝（１１１）は、前記靴底（１１０）の長手方向の前方の０％乃至４０％の範囲内に形成され、
前記靴底（１００）の中心の一側に形成された前記結合溝（１１２）は、前記靴底（１００）の長手方向の前方の４１％乃至８０％の範囲内に形成されることを特徴とする請求項７に記載のダイエット用靴底。
【請求項９】
前記結合溝（１１０）の傾斜面は、内側から上向き傾斜面を形成することを特徴とする請求項７に記載のダイエット用靴底。
【請求項１０】
前記結合溝（１１０）の傾斜面は、内側から下向き傾斜面を形成することを特徴とする請求項７に記載のダイエット用靴底。
【請求項１１】
前記結合溝（１１０）は、前記靴底（１００）の上面に形成され、前記靴底（１００）の上部にインソールが更に備えられ、前記結合部材（２００）と前記インソール（３００）とは一体からなることを特徴とする請求項１に記載のダイエット用靴底。
【請求項１２】
前記結合溝（１１０）は、前記靴底（１００）のミッドソール（１０４）の下面に形成され、前記結合部材（２００）は、前記靴底（１００）のアウトソール（１０６）の上面に一体に形成されたことを特徴とする請求項１に記載のダイエット用靴底。
【請求項１３】
前記靴底（１００）は、後方部の重みを軽くするため、後方部の下部の一側に下部溝（１２０）が形成されたことを特徴とする請求項１に記載のダイエット用靴底。
【請求項１４】
請求項１又は請求項７によるダイエット用靴底（１００）を備えたことを特徴とする履物。
【発明の詳細な説明】
【技術分野】
【０００１】
本発明は、ダイエット靴底及びこれを備えた履物に関する。より詳しくは、歩行時、脚でアレイを持つような運動効果、及び、膝関節矯正効果を同時に得ることができるダイエット用靴底及びこれを備えた履物に関する。
【背景技術】
【０００２】
一般に、人の歩行は、立脚期と遊脚期とに分けられる。ここで、立脚期は、足が地面に触れている時期を意味し、正常歩行週期の約６０％を占める。立脚期は、踵接触、足裏接触、立脚中期、立脚末期、及びトーオフの５段階からなる。
ここで、踵接触は、立脚期の初期段階で、踵が地面に触れる動作である。この時、股関節が曲げられ、膝関節が伸び、足首関節は、足の甲をやや上方に引き寄せた状態になる。そして、反対側の足は立脚末期状態である。即ち、同時立脚期である。
【０００３】
立脚期の第２の段階である足裏接触は、踵が地面に触れてからつながる段階である。この際、体重は、前方に配置された下肢に移動することになる。そして、体重が過度に前方に移動しないように、膝関節は、前方に移動された体重に対する衝撃を吸収するため、やや曲げられた状態になる。これと同時に、足首関節は、下方へ伸びる動作を行い、反対側の足は、トーオフ動作を行う。
【０００４】
立脚期の第３の段階である立脚中期は、身体の重心が足裏の中心を通る時期である。この時期には、体重を片足で支持することになり、股関節は曲げられた状態から延びる状態に変化する。この際、足首関節は、足の甲を上方へ引き上げる動作を行い、反対側の足は、遊脚中期動作を行う。
【０００５】
立脚期の第４の段階である立脚末期には、股関節と膝関節が次第に伸びる状態を維持し、足首関節は、逐次足の甲を下に真っ直ぐ延びながら、身体の重心が前方に過度に移動することを防止する。この時、反対側の足は遊脚期の減速期状態で、踵接触を用意する。
【０００６】
立脚期の最後の段階であるトーオフは、つま先が地面から離れる時期である。この時期は、踵接触と同様に同時立脚期である。この時、股関節と膝関節とは逐次曲げられ、足首関節は、足の甲が下方に真っ直ぐ延びる動作を行う。そして、反対側の足は、足裏接触を行う。
【０００７】
そして、遊脚期は、足が地面から離れ、前に進む時期を意味し、正常歩行週期の約４０％を占める。遊脚期は、加速期、遊脚中期、及び減速期の３段階からなる。ここで、加速期は、つま先が離れた後、足が空中でスイングする動作で逐次スイング速度が増加し、股関節と膝関節は屈曲動作を行う。この時、足首関節は、単に足の甲を上方へ引き寄せる動作(背側屈曲)を行い、反対側の足は、立脚中期の初期段階にある。
【０００８】
遊脚期の第２の段階である遊脚中期は、加速期の最後段階でかつ減速期の初期段階である。股関節と膝関節が身体の中心線を通りながら逐次曲げられた状態から延びる動作へ変わる。この時、足首関節は、加速期の状態である足の甲を上方へ引き寄せる状態を維持し、反対側の足は、立脚中期の最終段階にある。
【０００９】
遊脚期の最終段階である減速期は、踵が地面と触れる用意をする段階である。この時、股関節は、やや曲がった状態を維持するが、膝関節は完全に延びた状態となり、足首関節は足の甲が上方へ延びた状態を維持する。そして、反対側の足は、立脚末期状態にあることになる。
【００１０】
人間の歩行は、重心を前に移動することから開始する。人間は、移動するに際して、身体一部分の重心を自分の前に置き、重心の位置を前に移動して歩く。
【００１１】
歩行時、身体の一部分を自分の重心の前に置く時、足を持ち上げ、上体は真っ直に延びるのが最も理想的である。しかし、一般に、歩行速度が速いか、下肢の筋力が不足した人々は、頭を前に出すことになる。頭が前に出ると、自然に背が曲がることになり、筋骨格係疾患が発生することになる。このような症状は、踵の高い履物を用いるほどさらに加重される。その理由は、踵の高い履物は、既に重心を前に移動させて、不安定な姿勢を保たせるからである。この時、上体は前に傾き、これにつれ、歩行者が前に倒れることを防止するため、尻を後に引く不安定な姿勢を取ることになる。そして、人体は、上体及び下体に分離した二つの中心を有することになる。１つは、尻関節を中心とする中心線であり、他の一つは、脊椎を中心とする中心線である。このようになると、腰に与えられる衝撃がひどくなり、腰痛を誘発することがある。
【００１２】
産業の発達とともに、所得水準が向上することに伴い、基本的な衣食住問題は解決されたが、むしろ、ストレス、成人病、及び肥満など健康に関する問題が社会問題にまでつながる状況に至った。一方、最近は、ウェルビ−イング（Ｗｅｌｌ−ｂｅｉｎｇ）時代が到来され、全国民次元で健康に対する関心が増大している。このような観点から、運動、姿勢矯正、ダイエットなどに対する関心は、女性だけでなく、男性間でも主要関心事に浮上している。このような社会的傾向に合わせて、いわゆるダイエットする履物が発明されており、後踵をなくしたこの履物を履くと、自然に足の中心がつま先に移動して、歩くことになるので、腹部と足に力を注ぐようにして、ふくらはぎ部分の筋肉と大腿筋が繰り返し弛緩するので、筋力と持久力を向上して、ダイエット効果を得るように設計された履物である。
【発明の開示】
【発明が解決しようとする課題】
【００１３】
しかし、これらの履物は、日常的な歩行時にも、マラソンや駆け足をすることと同様に、つま先部分に体重が集中され、立つ身体姿勢を誘導するためのものであって、姿勢矯正の効果は得にくいという問題がある。また、その運動効果が小さく、ダイエットに効果がないという問題がある。
【課題を解決するための手段】
【００１４】
本発明の目的は、前記の問題点を解決するためになされたものであって、歩行時、足でアレイを持つような運動効果、及び膝関節の矯正効果を同時に得ることができるダイエット靴底、及びこれを備えた履物を提供するにある。
【００１５】
前記のような本発明の目的は、上面又は下面の一側に結合溝が陥没形成された靴底と、結合溝に形状結合され、靴底よりも相対的に高密度材質からなる結合部材とを含むことを特徴とするダイエット用靴底により達成され得る。
【００１６】
前記結合部材は、前方が後方よりも重く形成される。
【００１７】
また、前記結合溝は、靴底の足指領域に形成される。
【００１８】
また、前記結合溝は、Ｏ脚の着用者のため、前記靴底の内側に形成される。更に、前記結合溝は、Ｘ脚の着用者のため、前記靴底の外側に形成される。
【００１９】
また、前記結合溝は、複数個が陥没形成される。
【００２０】
更に、前記結合溝は、前記靴底の長手方向に沿って足指領域と中心領域にそれぞれ形成され、前記足指領域の結合溝と前記中心領域の結合溝の少なくとも一つの底面が傾斜面を形成する。この時、靴底の足指領域の一側に形成された結合溝は、靴底の長手方向の前方の０％乃至４０％の範囲内に形成され、靴底の中心の一側に形成された結合溝は、靴底の長手方向の前方の４１％乃至８０％の範囲内に形成される。
【００２１】
また、前記結合溝の傾斜面は、内側から上向き傾斜面を形成する。
【００２２】
更に、前記結合溝の傾斜面は、内側から下向き傾斜面を形成する。
【００２３】
また、前記結合溝は、前記靴底の上面に形成され、前記靴底の上部にインソールが更に備えられ、前記結合部材とインソールとは一体からなる。
【００２４】
さらに、前記結合溝は、前記靴底のミッドソールの下面に形成され、前記結合部材は、前記靴底のアウトソールの上面に一体に形成される。
【００２５】
また、前記靴底は、後方部の重みを軽くするため、後方部の下部の一側に下部溝が形成される。
【００２６】
他のカテゴリとして、本発明の目的は、前述したダイエット用靴底を備えたことを特徴とする履物により達成し得る。
【発明の効果】
【００２７】
本発明によると、履物の前方部を後方部よりも重くして、歩行時、遊脚期の間、脚でアレイを持つような効果がある。これにより、ダイエットに役に立つ効果がある。
【００２８】
また、靴底の重心を前方に移動するようにして支持する間、ローリングをスムーズにして運動効果を更に増大することができる。
【００２９】
更に、結合部材の位置を調節して、地面反力中心点が足の中心部分に移動することになり、理想的な地面反力中心点の移動軌跡を現すことになり、足と膝に作用する荷重の内外均衡を調節するため、Ｏ脚又はＸ脚を“ＩＩ”字に矯正することができるという効果を得ることができる。
【図面の簡単な説明】
【００３０】
本明細書で添付する下記の図面は、本発明の好適な実施形態を例示することであり、発明の詳細な説明とともに本発明の技術思想を更に理解させるものであり、本発明は、そのような図面に記載した事項に限定して解析してはいけない。
【図１】図１は、本発明の第１の実施形態によるダイエット靴底の分解斜視図である。
【図２】図２は、図１のА-А断面図である。
【図３】図３は、本発明の第２実施形態によるダイエット靴底の分解斜視図である。
【図４】図４は、図３のＢ-Ｂ断面図である。
【図５】図５は、本発明の第３実施形態によるダイエット靴底の分解斜視図である。
【図６】図６は、本発明の第４実施形態によるダイエット靴底の側断面図である。
【図７】図７は、本発明の第５実施形態によるダイエット靴底の分解斜視図である。
【図８】図８は、図７のＣ-Ｃ断面図である。
【図９】図９は、本発明の第６の実施形態によるダイエット靴底の側面図である。
【図１０】図１０は、本発明の第６の実施形態によるダイエット靴底の背面図である。
【図１１】図１１は、Ｏ脚の人の着履のための本発明の第７の実施形態によるダイエット用靴底の斜視図である。
【図１２】図１２は、Ｏ脚の人の着履のための本発明の第７の実施形態によるダイエット用靴底の分解斜視図である。
【図１３】図１３は、図１２のА-А断面図である。
【図１４】図１４は、図１２のＢ-Ｂ断面図である。
【図１５】図１５は、図１２のＣ-Ｃ断面図である。
【図１６】図１６は、図１２のＤ-Ｄ断面図である。
【図１７】図１７は、Ｘ脚の人の着履のための本発明の第７の実施形態によるダイエット用靴底の分解斜視図である。
【図１８】図１８は、Ｏ脚の人の着履のための本発明の第８の実施形態によるダイエット用靴底の分解斜視図である。
【図１９】図１９は、図１８のＥ-Ｅ断面図である。
【図２０】図２０は、Ｏ脚の人の着履のための本発明の第９の実施形態によるダイエット用靴底の断面図である。
【図２１】図２１は、Ｏ脚の人の着履のための本発明の第１０の実施形態によるダイエット用靴底の分解斜視図である。
【図２２】図２２は、本発明の第６の実施形態によるダイエット用靴底を備えた履物の側面図である。
【図２３】図２３は、本発明の第７の実施形態によるダイエット用靴底を備えた履物の側面図である。
【発明を実施するための最良の形態】
【００３１】
一般の履物は、インソール、ミッドソール、及びアウトソールからなる。本発明による靴底１００は、インソール３００、ミッドソール１０４、アウトソール１０６の少なくとも１つを含む構成からなる。
以下、添付図面を参照して、本発明の好適な実施形態を詳細に説明する。
【００３２】
<靴底の構成>
(第１の実施形態)
図１は、本発明の第１の実施形態によるダイエット靴底の分解斜視図を示しており、図２は、図１のА-А断面図を示すものである。図１及び図２に示したように、本発明による靴底１００は、履物の底部を構成するものであり、上部全般に亘って結合溝１１０が形成される。このような靴底１００の材質は、外部の衝撃及び着用者の体重により発生する圧力で容易に変形・破損しないものなら、いずれを使用しても構わない。しかし、望ましくは、合成樹脂又はゴム材質を使用するのが良い。更に望ましくは、エチレンビニルアセテート（ＥＶＡ：Ｅｔｈｙｌｅｎｅ  Ｖｉｎｙｌｅ  Ａｃｅｔａｔｅ）、ポリウレタン（ＰＵ：Ｐｏｌｙｕｒｅｔｈａｎｅ）、クロロプレンゴム（ＣＲ：Ｃｈｌｏｒｏｐｒｅｎｅ  Ｒｕｂｂｅｒ、ネオプレン（Ｎｅｏｐｒｅｎｅ：登録商標））を使用するのが望ましい。
【００３３】
本発明による結合部材２００は、図１及び図２に示したように、靴底１００の上部一側に形成された結合溝１１０に結合されるものであって、全体として、結合溝１１０の内部と同一形状でなる。この時、結合部材２００は、着用者の運動効果を向上するため、前方が後方よりも厚く形成されるのが良い。そして、その材質は、高比重ポリウレタン又は高比重ゴムなどのように、靴底１００の材質よりも高密度材質を使用するのが望ましい。
【００３４】
このように、靴底１００の結合溝１１０に、前方が後方よりも厚い結合部材２００を結合して、前方部１０１を後方部１０２より重く形成することになると、履物の重心１５０が一定の間隔、前方に移動した重心１０５’を持つことになる。このように、前方に重心１０５’が移動することになると、着用者が歩行時、前方への傾きが大きくなり、前転がりが更にスムーズとなり、遊脚期の間、足でアレイを持つような効果を得ることができる。
【００３５】
(第２の実施形態)
図３は、本発明の第２の実施形態によるダイエット靴底の分解斜視図を示し、図４は、図３のＢ−Ｂ断面図を示す。図３及び図４に示したように、本発明の第２の実施形態による靴底１００は、全体として、第１の実施形態と同一の形状及び材質からなり、上部の前方一側に溝１１０が形成される。
本発明の第２の実施形態による結合部材２００は、靴底１００の上部前方の一側に形成された結合溝１１０の形状と同一の形状を有し、その材質は、第１の実施形態と同一の材質からなる。
【００３６】
(第３の実施形態)
図５は、本発明の第３の実施形態によるダイエット靴底の分解斜視図を示している。図５に示したように、本発明の第３の実施形態による靴底１００の全体的な形状及び材質は、第１の実施形態と同一の形状及び材質からなる。しかし、Ｏ脚の人が着用して、運動効果及び矯正効果を同時に得るため、靴底１００の上部内側面に結合溝１１０が形成される。
【００３７】
本発明の第３の実施形態による結合部材２００の全体的な形状は、靴底１００に形成された溝の形状と同一に形成され、着用者の重心を前方に移動させるため、前方が後方よりも厚く形成する。そして、その材質は、第１の実施形態と同一の材質からなる。
【００３８】
このように、靴底１００の内側にのみ結合溝１１０が形成されると、結合部材２００により、歩行時、外転運動（Ａｄｂｕｃｔｉｏｎ）を誘導することになり、Ｏ脚が矯正され、結合部材２００の前方が後方よりも厚く形成されているため、運動効果も同時に得られる。
【００３９】
(第４の実施形態)
図６は、本発明の第４の実施形態によるダイエット靴底の分解斜視図を示している。図６に示したように、本発明の第４の実施形態による靴底１００の全体的な形状及び材質は、第１の実施形態と同一の形状及び材質からなる。しかし、Ｘ脚の人が着用して、運動効果及び矯正効果を同時に得るため、靴底１００の上部外側面に結合溝１１０が形成される。
【００４０】
本発明の第４の実施形態による結合部材２００の全体的な形状は、靴底１００に形成された溝の形状と同一に形成され、着用者の重心を前方に移動させるため、前方が後方よりも厚く形成される。そして、その材質は、第１の実施形態と同一の材質からなる。
【００４１】
このように、靴底１００の外側にのみ結合溝１１０が形成されると、結合部材２００により、歩行時、内転運動（Ａｄｄｕｃｔｉｏｎ）を誘導することになり、Ｘ脚が矯正され、結合部材２００の前方が後方よりも厚く形成されているため、運動効果も同時に得られる。
【００４２】
(第５の実施形態)
図７は、本発明の第５の実施形態によるダイエット靴底の分解斜視図を示しており、図８は、図７のＣ−Ｃ断面図を示すものである。本発明の第５の実施形態による靴底１００は、第１の実施形態〜第５の実施形態による靴底１００及び結合部材２００の上部に、インソール３００が更に備えられる。この時、インソール３００は、結合部材２００と別に備えられてもよく、必要により、インソール３００の下部に結合部材２００が靴底１００に形成された結合溝１１０に対応するように一体に形成され、靴底１００と結合することができる。
【００４３】
(第６の実施形態)
図９は、本発明の第６の実施形態によるダイエット靴底の側面図を示し、図１０は、本発明の第６の実施形態によるダイエット靴底の背面図を示す。図９及び図１０に示したように、第１の実施形態〜第５の実施形態による靴底の前方部１０１を後方部１０２よりも重くするため、後方部１０２の一側に下部溝１１０を更に形成することができる。後方部１０２に下部溝１１０を形成することで、前方部１０１と後方部１０２との重みの差を増加させ、着用者の運動効果を向上することができる。
【００４４】
(第７の実施形態)
図１１は、Ｏ脚の人の着履のための本発明の第７の実施形態によるダイエット用靴底の斜視図、図１２は、Ｏ脚の人の着履のための本発明の第７の実施形態によるダイエット用靴底の分解斜視図、図１３は、図１２のА-А断面図である。図１１乃至図１３に示したように、本発明の第７の実施形態による靴底１００は、履物の底部を構成するものであり、上部の一側に複数の結合溝１１０が形成される。このような靴底１００の材質は、外部の衝撃及び着用者の体重によって発生する圧力で容易に変形するか破損しない材質であれば、いずれの材質を使用しても構わない。しかし、望ましくは、合成樹脂又はゴム材質を使用するのが望ましい。より望ましくは、エチレンビニールアセテート、ポリウレタン、又はクロロプレンゴムを使用する。
【００４５】
靴底１００の上部に形成された複数の溝は、着用者の運動効果を向上し、靴底１００の重心を前方に移動するため、靴底１００の足指領域の一側、又は足指領域、及び中心領域の一側に形成する。以下では、説明の便宜のため、靴底１００の足指領域に形成された結合溝１１０を、前方結合溝１１１とし、靴底１００の中心領域に形成された結合溝１１０を中心結合溝１１２とする。前方結合溝１１１は、靴底１００の長手方向の前方０％乃至４０％の範囲内に形成され、中心結合溝１１２は、靴底１００の長手方向の前方４１％乃至８０％の範囲内に形成される。
【００４６】
図１４は、図１２のＢ−Ｂ断面図であり、図１５は、図１２のＣ−Ｃ断面図である。前方結合溝１１１及び中心結合溝１１２の少なくとも一つは、Ｏ脚又はＸ脚を“ＩＩ”字に矯正するため、幅方向に傾斜面を形成する。図１４及び図１５に示したように、本発明の第７の実施形態による靴底１００の結合溝１１０のうち、前方結合溝１１１は、傾斜面が形成されず、中心結合溝１１２は、内側の高さ（ｈ１）が外側の高さ（ｈ２）よりも厚く、幅方向内側から上向き傾斜面を形成する。また、前方結合溝１１１及び中心結合溝１１２は、着用者の運動効果を増大し、特に、中心結合溝１１２は、靴底１００の重心が過度に前方に傾くことを防止するために、前方又は後方のいずれの一側が他側より高く形成することができる。このような内側の高さ（ｈ１）と外側の高さ（ｈ２）、前方の高さと後方の高さとは、着用者の健康状態、着用者が所望する運動効果などを考えて様々に変更することができる。この時、矯正効果を増大するため、前方結合溝１１１にも、幅方向内側から上向き傾斜面を形成することができる。
【００４７】
本発明による結合部材２００は、図１１乃至図１５に示したように、靴底１００の上部一側に形成された結合溝１１０に形状結合されるものであって、全体として、結合溝１１０の内部と同一の形状からなる。以下では、説明の便宜のため、前方結合溝１１１に挿入される結合部材２００を前方結合部材２０１とし、中心結合溝１１２に挿入される結合部材２００を中心結合部材２０２とする。前方結合部材２０１及び中心結合部材２０２は、靴底１００の一側部分に形成された前方結合溝１１１及び中心結合溝１１２に挿入され、靴底１００の重みを重くするためのものであって、高比重ポリウレタン、又は高比重ゴムなどのように、靴底１００の材質より重い高密度材質を使用するのが良い。
【００４８】
前述した構成のように、靴底１００の足指領域及び中心領域にそれぞれ形成された前方結合溝１１１及び中心結合溝１１２に、靴底１００よりも重い材質の前方結合部材２０１及び中心結合部材２０２を結合して、靴底１００の前方部を後方部よりも重く形成すると、履物の重心が一定の間隔、前方に移動された重心を持つことになる。このように前方に重心が移動することになると、着用者が歩行時、前方への傾きが大きくなり、前転がりが更に円滑になり、遊脚期の間、脚でアレイを持つような効果を得ることができる。また、前方結合溝１１１と前方結合部材２０１、及び中心結合溝１１２と中心結合部材２０２の少なくとも一対を、幅方向に内側と外側のいずれか一側を残りの他側より重くすることで、Ｏ脚又はＸ脚を矯正することができる。
【００４９】
図１１乃至図１５に示したように、中心結合溝１１２及び中心結合部材２０２の幅方向の内側の厚さ（ｈ１）を外側の厚さ（ｈ２）より厚く形成するため、幅方向内側から上向き傾斜面を形成する。内側が外側より重く形成されると、歩行時、外反（Ｅｖｅｒｓｉｏｎ）と外転運動を誘導することになり、Ｏ脚が矯正される。
【００５０】
図１７は、Ｘ脚の人の着履のための本発明の第７の実施形態によるダイエット用靴底１００の分解斜視図である。図１７に示したように、Ｘ脚の人の着用のため、中心結合溝１１２及び中心結合部材２０２の幅方向外側を内側より厚く形成するため、幅方向内側から下向き傾斜面を形成する。外側が内側よりも重く形成されると、歩行時、内反（Ｉｎｖｅｒｓｉｏｎ）と内転運動を誘導することになり、Ｘ脚が矯正するという効果がある。この時、矯正効果を増大するため、前方結合溝１１１にも、幅方向内側から下向き傾斜面を形成することができる。
【００５１】
図１６は、図１２のＤ−Ｄ断面図である。図１６に示したように、本発明による靴底１００の前方部を後方部よりも重くするため、後方部の一側に下部溝１２０を更に形成することができる。後方部に下部溝１２０を形成することで、前方部と後方部の重み差を増加させ、着用者の運動効果を向上することができる。
【００５２】
(第８実施形態)
図１８は、Ｏ脚の人の着履のための本発明の第８実施形態によるダイエット用靴底の分解斜視図であり、図１９は、図１８のＥ−Ｅ断面図である。本発明の第８実施形態による靴底１００は、第７実施形態による靴底１００及び結合部材２００の上部に、インソール３００が更に備えられる。この時、靴底１００と結合部材２００とは、全体として、第７の実施形態と同一の構成からなる。しかし、必要により、結合部材２００は、インソール３００の下部に靴底１００に形成された前方結合溝１１１及び中心結合溝１１２に対応される位置にインソール３００と一体に形成され、靴底１００と結合することができる。
【００５３】
(第９の実施形態)
図２０は、Ｏ脚の人の着履のための本発明の第９の実施形態によるダイエット用靴底の断面図である。図２０に示したように、本発明の第９の実施形態による靴底１００と結合部材２００とは、全体として第７の実施形態と同様な構成からなる。しかし、結合溝１１０が靴底１００の底面に形成される。
【００５４】
本発明の第９の実施形態による結合部材２００は、靴底１００の底面に結合されるため、様々な接着剤や裁縫などの方法で結合する。
【００５５】
この時、結合溝１１０の形状は、第７の実施形態のように、Ｏ脚の人とＸ脚の人に合わせて、幅方向に傾斜面が形成されるようにする。また、上部面が結合溝１１０の幅方向傾斜面に対応する形状からなるように形成される。
【００５６】
(第１０の実施形態)
図２１は、Ｏ脚の人の着履のための本発明の第１０の実施形態によるダイエット用靴底の分解斜視図である。本発明の第１０の実施形態による靴底１００は、第９の実施形態による靴底１００と同様な構成からなる。しかし、図２１に示したように、第１０の実施形態による靴底１００は、ミッドソール１０４とアウトソール１０６とからなる。この時、結合溝１１０は、ミッドソール１０４の底面に形成され、結合部材２００は、ミッドソール１０４とアウトソール１０６との間に備えられ、結合溝１１０に挿入される。
【００５７】
しかし、必要により、結合部材２００は、アウトソール１０６の上部にミッドソール１０４の底面に形成された前方結合溝１１１及び中心結合溝１１２に対応する位置にそれぞれ一体形成されて結合することができる。
【００５８】
(変形例)
本発明によるダイエット用靴底１００の上面又は下面に形成される結合溝１１０の形成位置は限定するものではなく、靴底の足指領域、中心領域、又は踵領域などにも形成することができる。また、結合溝１１０の形成個数も限定するものではなく、着用者の健康状態などを考えて様々に変更することができる。
【００５９】
<ダイエット用靴底を備えた履物の構成>
図２２は、本発明の第６の実施形態によるダイエット用靴底を備えた履物の側面図、図２３は、本発明の第７の実施形態によるダイエット用靴底を備えた履物の側面図である。図２２及び図２３に示したように、一般の甲皮４００を備えた履物１０の下部に、本発明の第１の実施形態乃至第１０の実施形態による靴底１００を様々な接着剤や裁縫などの方法で結合する。このような前方が後方よりも重い履物１０を履いて歩行することで、脚でアレイを持つような運動効果を得ることができ、履物１０の内側と外側の重み差により、別の施術をすることなく、Ｏ脚又はＸ脚を"ＩＩ"字形に矯正することができる。
【００６０】
以上で説明したように、本発明が属する技術の分野の当業者は、本発明がその技術的思想や必須特徴を変更することなく、他の具体的な形態で実施され得ることが理解できる。それで、上述した実施形態は、すべての面に例示的であり、限定的ではないことと理解されるべきである。本発明の範囲は、詳細な説明よりは後述する特許請求の範囲によって示され、特許請求の範囲の意味及び範囲、そして、等価概念から導出されるすべての変更・変形した形態が、本発明の範囲に含まれることと解析されるべきである。
【符号の説明】
【００６１】
１０      履物
１００    靴底  
１０１    前方部
１０２    後方部  
１０４    ミッドソール
１０５    重心  
１０５’  移動された重心  
１０６    アウトソール  
１１０    結合溝
１１１    前方結合溝  
１１２    中心結合溝
１２０    下部溝  
２００    結合部材
２０１    前方結合部材
２０２    中心結合部材
３００    インソール
４００    甲皮
【図１】
2011524234.tif 000003
【図２】
2011524234.tif 000004
【図３】
2011524234.tif 000005
【図４】
2011524234.tif 000006
【図５】
2011524234.tif 000007
【図６】
2011524234.tif 000008
【図７】
2011524234.tif 000009
【図８】
2011524234.tif 000010
【図９】
2011524234.tif 000011
【図１０】
2011524234.tif 000012
【図１１】
2011524234.tif 000013
【図１２】
2011524234.tif 000014
【図１３】
2011524234.tif 000015
【図１４】
2011524234.tif 000016
【図１５】
2011524234.tif 000017
【図１６】
2011524234.tif 000018
【図１７】
2011524234.tif 000019
【図１８】
2011524234.tif 000020
【図１９】
2011524234.tif 000021
【図２０】
2011524234.tif 000022
【図２１】
2011524234.tif 000023
【図２２】
2011524234.tif 000024
【図２３】
2011524234.tif 000025
【国際調査報告】
2011524234.tif 000026
2011524234.tif 000027
2011524234.tif 000028
2011524234.tif 000029